(57)【特許請求の範囲】
【請求項１】
台熨斗瓦（２）、熨斗瓦（５）及び冠瓦（６）のそれぞれ長さ方向の端から各瓦の長さの１／４の位置に挿通孔（17）が形成され、
一定高さの保持部材（４）が棟芯の長さ方向に設けられ、
台熨斗瓦（２）が保持部材（４）に載せられて緊結具（１２）で固定され、この固定状態で台熨斗瓦（２）の下端と棟際に葺設された桟瓦（３）間に隙間（Ｘ）を具有させ、
台熨斗瓦（２）、熨斗瓦（５）及び冠瓦（６）の各挿通孔（17）が上下同一軸線上に位置するように、台熨斗瓦（２）上に複数の熨斗瓦（５）、冠瓦（６）が載せられ、
冠瓦（６）の上方から前記挿通孔（17）に緊結具（12）を貫通させて保持部材（４）に打ち込みすることにより、台熨斗瓦（２）、熨斗瓦（５）及び冠瓦（６）が一体的に保持部材（４）に固定されたことを特徴とする瓦屋根の棟構造。
【請求項２】
請求項１記載の瓦屋根の棟構造が寄棟屋根における陸棟（Ａ）及び隅棟（Ｂ）に実施され、
また陸棟（Ａ）の端部側に配置される台熨斗瓦（２）及び熨斗瓦（５）で画成された挿入口部（７）に、隅棟（Ｂ）の端部側の台熨斗瓦（２）、熨斗瓦（５）及び冠瓦（６）の端部が挿入接続されたことを特徴とする瓦屋根の棟構造。
【請求項３】
瓦屋根の棟構造を構成する棟構造用瓦である台熨斗瓦（２）、熨斗瓦（５）又は冠瓦（６）であって、前記棟構造用瓦（２，５，６）の長さ方向の端から各瓦の長さの１／４の位置に緊結具（12）を挿通する挿通孔（17）が形成され、前記棟構造用瓦（２，５，６）の長さ方向の端部には緊結具（12）が挿通されないことを特徴とする瓦屋根の棟構造用瓦。
【発明の詳細な説明】
【０００１】
【発明の属する技術分野】
本発明は、瓦屋根の棟構造に関する。
【０００２】
【従来の技術】
従来、この種の棟構造は、古くから粘土、シックイ、モルタルなどの充填材を用いて熨斗瓦、冠瓦を積み上げ、銅線で緊結させているが、近年、地震等による棟の崩壊に鑑み、軽量化を図ると共に、耐震性を向上させた特開平２ー１６７９４７号公報に開示された棟構造がある。
【０００３】
この棟構造は図１５に示すように、桟瓦ａの尻側上に大熨斗瓦ｂの面戸ｃを当接させて載置し、かかる大熨斗瓦ｂ上に、熨斗瓦ｄの両側縁下部を嵌合溝ｅに嵌合させて載置し、これら大熨斗瓦ｂ、熨斗瓦ｄ間を通って棟木ｆに立設固定される保持体ｇを有し、この保持体ｇに木などの保持部材ｈが設けられ、前記熨斗瓦ｄの上に、丸瓦ｊの両側縁下部を嵌合溝ｅに嵌合させて載置し、この丸瓦ｊを保持部材ｈに固定している。
【０００４】
【発明が解決しようとする課題】
ところが、棟際に葺設される桟瓦ａは、屋根面の大きさ、桟瓦ａの幅方向や、流れ方向の重ね代の調整によって、陸棟ではきき足を短く切断した調整桟瓦や、隅棟ではランダム的な大きさと成る略三角形状に切断した調整桟瓦が配置されるため、特に陸棟と隅棟の接合部において、陸棟の熨斗瓦と、隅棟の熨斗瓦との高さに相違が発生し、前記接合部の納まり形態の外観が劣る課題や、またこの高さ相違を解消するために、接合部に位置する熨斗瓦を、充填材を用いて高さを調整する熟練作業が必要となるため、施工性の簡素化が図れない課題があった。
【０００５】
【課題を解決するための手段】
本発明は、上記従来技術に基づく外観や、施工性等の課題に鑑み、棟芯上に一定高さで設けられる保持部材で、棟を構成する台熨斗瓦、熨斗瓦、冠瓦を固定し、陸棟と隅棟の接合部の納まり形態の外観を良好にすると共に、施工を簡略化することを要旨とする瓦屋根の棟構造である。
【０００６】
かかる棟構造の手段としては、台熨斗瓦（２）、熨斗瓦（５）及び冠瓦（６）のそれぞれ長さ方向の端から各瓦の長さの１／４の位置に挿通孔（17）が形成され、一定高さの保持部材（４）が棟芯の長さ方向に設けられ、台熨斗瓦（２）が保持部材（４）に載せられて緊結具（１２）で固定され、この固定状態で台熨斗瓦（２）の下端と棟際に葺設された桟瓦（３）間に隙間（Ｘ）を具有させ、台熨斗瓦（２）、熨斗瓦（５）及び冠瓦（６）の各挿通孔（17）が上下同一軸線上に位置するように、台熨斗瓦（２）上に複数の熨斗瓦（５）、冠瓦（６）が載せられ、冠瓦（６）の上方から前記挿通孔（17）に緊結具（12）を貫通させて保持部材（４）に打ち込みすることにより、台熨斗瓦（２）、熨斗瓦（５）及び冠瓦（６）が一体的に保持部材（４）に固定される。
【０００７】
寄棟屋根においては、前記棟構造が陸棟（Ａ）及び隅棟（Ｂ）に実施され、陸棟の端部側に配置される台熨斗瓦、熨斗瓦で画成された挿入口部に、隅棟の端部側の台熨斗瓦、熨斗瓦および冠瓦の端部が挿入接続されている。
前記棟構造を構成する棟構造用瓦である台熨斗瓦（２）、熨斗瓦（５）又は冠瓦（６）は、前記棟構造用瓦（２，５，６）の長さ方向の端から各瓦の長さの１／４の位置に緊結具（12）を挿通する挿通孔（17）が形成され、前記棟構造用瓦（２，５，６）の長さ方向の端部には緊結具（12）が挿通されないことを特徴とする。
【０００８】
【発明の実施の形態】
以下本発明の実施の形態を図面に基づいて説明する。
本発明に係る瓦屋根の棟構造１は、寄棟屋根における陸棟Ａと、この陸棟Ａに対して約４５度の角度θで交差する隅棟Ｂを含むものにして、前者の陸棟Ａとしては、台熨斗瓦２が棟際に葺設された桟瓦３とオーバーラップする様に、一定高さ位置に保持部材４で固定され、この台熨斗瓦２上に複数（図面上は四段）の熨斗瓦５が積載され、さらに熨斗瓦５上に冠瓦６が固定されている。
【０００９】
また、後者の隅棟Ｂとしては、台熨斗瓦２が棟際に葺設された桟瓦３とオーバーラップする様に、一定高さ位置に保持部材４で固定され、この台熨斗瓦２上に複数（図面上は二段）の熨斗瓦５が積載され、さらに熨斗瓦５上に冠瓦６が固定されている。
【００１０】
また、陸棟Ａおよび隅棟Ｂの台熨斗瓦２の高さ位置は、台熨斗瓦２の下端2aと、陸棟Ａおよび隅棟Ｂの棟際に葺設された桟瓦３の最上表面部位との間に、所望する隙間Ｘを具有させる様にしている。
【００１１】
上記隙間Ｘは、屋根面の大きさ、桟瓦３の幅方向や、流れ方向の重ね代の調整によって、例えば陸棟Ａにあっては、流れ方向にきき足を短くした調整桟瓦である桟瓦３が葺設される場合でも、この桟瓦３に当接させないものとし、また隅棟Ｂにあっては略三角形状に切断した三角調整瓦である桟瓦３が部分的に三段に重ねられる個所の最上部の桟瓦３に当接させないものとし、陸棟Ａおよび隅棟Ｂの両者における野地面Ｅからの高さは、所望する寸法に設定されている。
【００１２】
つぎに、陸棟Ａと隅棟Ｂが交差する接合部Ｃとしては、陸棟Ａの端部側に積載配置された台熨斗瓦２に切欠形成された第一挿入口部2bと、複数段の熨斗瓦５に夫々切欠形成された第二挿入口部5bによって画成される挿入口部７に、隅棟Ｂの端部側に配置される台熨斗瓦２、複数段の熨斗瓦５および冠瓦６の端部側が挿入接続されている。
【００１３】
保持部材４は天然木材、人工木材、アルミニウム、プラスチック等で角棒状に形成され、陸棟Ａおよび隅棟Ｂの棟芯の長さ方向に所定間隔で複数配設される支持金具８で固定され、支持金具８は交差する野地面Ｅに載置する二又状の固定片９が下部に設けられ、この固定片９から支持片10が立設され、この支持片10上部に、上方開口するコ字状の角材保持部11が設けられており、かかる支持金具８は釘、ビス等の緊結具12で野地面Ｅに固定され、各支持金具８の角材保持部11間に、保持部材４が緊結具12で固定されている。
【００１４】
また、台熨斗瓦２は、中央から両側に緩やかに矩形板状の本体13が湾曲形成され、本体13の両側面を熨斗面14と成し、また表面側中央の両側に水返し突条15が長手方向にわたって形成されている。
【００１５】
また、台熨斗瓦２の中央における長手方向において、本体13の一方の端から、本体13長さの１／４の長さで設定する寸法Ｌの位置に挿通孔17を形成すると共に、それ以外の適宜位置に保持部材４を固定するための緊結具12を貫通させる釘孔18を形成している。
【００１６】
熨斗瓦５は、幅寸法を台熨斗瓦２の本体13より小さくして矩形板状の基体19を形成し、基体19の両側面を下方へ傾斜させて熨斗面14と成すと共に、台熨斗瓦２と同様に水返し突条15と挿通孔17を備えると共に、水返し突条15間に対応する裏面側に係止突部16を形成しており、かかる熨斗瓦５は熨斗面14が下方へ傾斜しているため、熨斗面14上端縁での水切れが良く、しかも下方の瓦（台熨斗瓦２、熨斗瓦５）の側縁より内方に下端縁が位置するため、チリ（突出部位）も載せるだけで形成できることにより、雨仕舞いも良好に成ると共に、下方から見上げた時に、立体感を与えることが可能となる。
【００１７】
冠瓦６は断面半円状に形成され、台熨斗瓦２、熨斗瓦５と同様な位置に挿通孔17を形成している。
【００１８】
また、陸棟Ａの端部側の台熨斗瓦２に切欠形成される第一挿入口部2bは、隅棟Ｂの端部側の同じ高さに位置する台熨斗瓦２が挿入される様に、熨斗面14に対し、陸棟Ａと隅棟Ｂの交差角度で切欠形成され、また図２に示す様に、第一挿入口部2bを形成するために、台熨斗瓦２は陸棟Ａの長さ方向において前後に適宜な長さで分割形成された２体の台熨斗瓦分割体21、21a によって構成されている。
【００１９】
また、上記台熨斗瓦２上に積載される熨斗瓦５に切欠形成する第二挿入口部5bは、図３、４に示す様に、各熨斗瓦５と同じ高さに位置する隅棟Ｂの端部側の熨斗瓦５、冠瓦６が挿入される様に、上記台熨斗瓦２の第一挿入口部2bと同様に切欠形成されると共に、分割形成された２体の熨斗瓦分割体22、22a によって構成されている。
【００２０】
つぎに、瓦屋根の棟構造１の施工に関しては、陸棟Ａおよび隅棟Ｂの棟芯上に高さを同じくした複数の支持金具８を緊結具12で固定した後、この支持金具８の角材保持部11内に保持部材４を入れて緊結具12で固定して架設する。
【００２１】
また、陸棟Ａと隅棟Ｂの接合部Ｃの納め方は、熨斗面14の両側に第一挿入口部2bを予め製造段階で形成した台熨斗瓦分割体21、21a から構成される台熨斗瓦２を、第一挿入口部2bの軸芯が隅棟Ｂの棟芯に合致する様に、陸棟Ａの端部側に配置して緊結具12で保持部材４に固定し、隅棟Ｂの端部側の台熨斗瓦２の端部を、陸棟Ａの台熨斗瓦２の第一挿入口部2bに挿入して緊結具12で保持部材４に固定する。
【００２２】
つぎに、陸棟Ａの台熨斗瓦２上に、第二挿入口部5bを予め製造段階で形成した熨斗瓦分割体22、22a から構成される熨斗瓦５を載せて配置し、隅棟Ｂの端部側の台熨斗瓦２上に載せて配置する熨斗瓦５の端部を、前記熨斗瓦５の第二挿入口部5bに挿入して接続し、続いて熨斗瓦５を陸棟Ａと隅棟Ｂに同様に載せて接続し、さらに陸棟Ａに載せる熨斗瓦５と隅棟Ｂに載せる冠瓦６を同様に接続し、最終的に陸棟Ａの最上部に冠瓦６を載せて緊結具12で保持部材４に固定すると、陸棟Ａと隅棟Ｂの台熨斗瓦２および熨斗瓦５の熨斗面14の高さが一致した状態で交差する形態と成る。なお陸棟Ａの端部に鬼瓦23を設けると共に、防水対策のため陸棟Ａおよび隅棟Ｂの内部空間に粘土、シックイ、モルタル等のシーリング材24を充填しても良く、かかるシーリング材24で支持金具８の水平横方向への倒れが規制される。
【００２３】
また、挿入口部７における第一挿入口部2bに挿入される隅棟Ｂの端部側に配置される台熨斗瓦２は、第一挿入口部2b内に挿入された際、隣接する他の台熨斗瓦２との干渉を防止するために、当然ながら角部側が斜めに切欠除去されており、また挿入口部７における第二挿入口部5bに挿入される隅棟Ｂの端部側に配置される熨斗瓦５、冠瓦６についても、前記台熨斗瓦２と同様に角部側が斜めに切欠除去されている。
【００２４】
また、陸棟Ａ、隅棟Ｂの端部側以外の個所は、長手方向の長さを同じにした台熨斗瓦２、熨斗瓦５、冠瓦６を使用するものであり、保持部材４上に、長手方向の前後を同じにして台熨斗瓦２を各々連結させて載せ、台熨斗瓦２の釘孔18に緊結具12を通して保持部材４に固定し、つぎに前記台熨斗瓦２上に載せる熨斗瓦５としては、前後方向を前記台熨斗瓦２とは逆方向にすると共に、この台熨斗瓦２に対して千鳥状となる様に、長さ方向に位置を変化させた状態で夫々載せ、台熨斗瓦２の挿通孔17と熨斗瓦５の挿通孔17を上下同一軸線上に位置させ、続いて陸棟Ａでは、熨斗瓦５を四段となるまで同様に積載すると共に、隅棟Ｂでは熨斗瓦５を二段となるまで同様に積載し、最終的に最上部に冠瓦６を載せることにより、冠瓦６、熨斗瓦５、台熨斗瓦２の寸法Ｌで位置設定される挿通孔17が上下同一軸線上に位置するため、かかる挿通孔17に緊結具12を貫通させて保持部材４に打ち込みすることにより、台熨斗瓦２、熨斗瓦５、冠瓦６が一体的に固定される。
【００２５】
【発明の効果】
要するに本発明は、以上のように構成したので、同じ高さの保持部材４により台熨斗瓦２、熨斗瓦５、冠瓦６が固定されるため、棟が軽量化されると共に耐震性が備わり、しかも寄棟屋根における陸棟Ａと隅棟Ｂの接合部Ｃでの熨斗面14の高さ相違が起こらず、従来の高さ調整作業が不要となるため、施工作業を簡略化でき、また接合部Ｃまでの棟（隅棟Ｂ）の直線性および熨斗面14の連続性が確保されるため、接合部Ｃを含んだ棟全体の形態を総合的に向上できる。
【００２６】
また、台熨斗瓦２と熨斗瓦５は同じ高さで棟芯に固定されるため、隅棟Ｂの端部が挿入される挿入口部７は、台熨斗瓦２と熨斗瓦５に、第一挿入口部2bと第二挿入口部5bを予め製造工程で形成することにより規格化できるため、陸棟Ａと隅棟Ｂの接合部Ｃの施工作業おける従来の屋根上での瓦割り作業が不要となるため、上記効果と相俟って作業性を著しく向上でき、しかも第一挿入口部2bと第二挿入口部5bの形成手段は、台熨斗瓦２と熨斗瓦５が板状であるため、打ち抜きで容易に製造できる等その実用的効果甚だ大である。
【図面の簡単な説明】
【図１】本発明に係る瓦屋根の棟構造の接合部を示す概略斜視図である。
【図２】同上接合部の施工状態を示す斜視図である。
【図３】同上接合部の施工状態を示す斜視図である。
【図４】同上接合部の施工状態を示す斜視図である。
【図５】陸棟の概略断面図である。
【図６】隅棟の概略断面図である。
【図７】棟の端部側以外を示す概略断面図である。
【図８】台熨斗瓦の斜視図である。
【図９】図８のＡ矢視図である。
【図１０】台熨斗瓦の平面図である。
【図１１】熨斗瓦の斜視図である。
【図１２】図１１のＢ矢視図である。
【図１３】熨斗瓦の平面図である。
【図１４】瓦屋根の部分概略平面図である。
【図１５】従来の棟の概略断面図である。
【符号の説明】
２  台熨斗瓦
2a  下端
３  桟瓦
４  保持部材
５  熨斗瓦
６  冠瓦
７  挿入口部
12  緊結具
【図１】
0003995758.tif 000002
【図２】
0003995758.tif 000003
【図３】
0003995758.tif 000004
【図４】
0003995758.tif 000005
【図５】
0003995758.tif 000006
【図６】
0003995758.tif 000007
【図７】
0003995758.tif 000008
【図８】
0003995758.tif 000009
【図９】
0003995758.tif 000010
【図１０】
0003995758.tif 000011
【図１１】
0003995758.tif 000012
【図１２】
0003995758.tif 000013
【図１３】
0003995758.tif 000014
【図１４】
0003995758.tif 000015
【図１５】
0003995758.tif 000016